(57)【要約】【課題】フィルタ収容室内の洗浄時やフィルタのメンテナンス時にフィルタ収容室内から作動油を排出する際、作動油タンクからフィルタ収容室内への作動油の逆流を確実に防止可能な作動油貯留装置を提供する。【解決手段】この作動油貯留装置は、作動油タンク２内においてリターンポート１０ｆに対して離接可能に設けられ、リターンポート１０ｆを閉止するための閉止部材１６と、閉止部材１６をリターンポート１０ｆに接近する方向に弾発し、閉止部材１６によりリターンポート１０ｆを閉止させる弾性部材１８とを備え、入口側フィルタ１３は、フィルタ収容室１０内に装着されるのに伴って弾性部材１８の弾発力に抗しながら閉止部材１６をリターンポート１０ｆから離反する方向に押動することによりリターンポート１０ｆを開放する押動部１３ｂを有する。【選択図】図１
2009127781.tif 000002
【特許請求の範囲】
【請求項１】
作動油を貯留する作動油タンクと、作動油を濾過するフィルタと、前記作動油タンクに設けられ、前記フィルタを収容するフィルタ収容室とを備え、前記フィルタ収容室は、当該フィルタ収容室内の空間と前記作動油タンク内の空間とを連通させるリターンポートと、当該フィルタ収容室内から作動油を外部へ排出するためのドレンポートとを有し、油圧機器から戻ってくる作動油を前記フィルタ収容室内の前記フィルタを通して濾過した後、前記リターンポートを通じて前記作動油タンクに導入して貯留する作動油貯留装置であって、
前記作動油タンク内において前記リターンポートに対して離接可能に設けられ、前記リターンポートを閉止するための閉止部材と、
前記閉止部材を前記リターンポートに接近する方向に弾発し、前記閉止部材により前記リターンポートを閉止させる弾性部材とを備え、
前記フィルタは、前記フィルタ収容室内に装着されるのに伴って前記弾性部材の弾発力に抗しながら前記閉止部材を前記リターンポートから離反する方向に押動することにより前記リターンポートを開放する押動部を有することを特徴とする、作動油貯留装置。
【請求項２】
前記弾性部材は、前記フィルタ収容室内に作動油が充満しているとともにそのフィルタ収容室内に前記油圧機器から戻ってくる作動油がさらに流入する状態で前記閉止部材が受ける作動油の圧力により前記閉止部材が前記リターンポートから離反するのを許容するような弾発力を有することを特徴とする、請求項１に記載の作動油貯留装置。
【請求項３】
前記リターンポートは、前記フィルタ収容室の底壁に設けられ、
前記押動部は、前記フィルタの底部に設けられ、
前記フィルタは、前記フィルタ収容室内の底面上に載置されることによってそのフィルタ収容室内に装着され、
前記閉止部材は、前記リターンポートを下方から閉止する閉止部と、その閉止部が前記リターンポートを閉止している状態でその閉止部から前記リターンポート内を通って前記フィルタ収容室内の底面上に突出し、前記フィルタが前記フィルタ収容室内の底面上に載置されるのに伴って前記押動部によって押圧される被押圧部とを有することを特徴とする、請求項１または２に記載の作動油貯留装置。
【請求項４】
前記被押圧部は、前記閉止部の軸心に対応する位置に設けられている、請求項３に記載の作動油貯留装置。
【請求項５】
作動油を貯留する作動油タンクと、作動油を濾過するフィルタと、前記作動油タンクに設けられ、前記フィルタを収容するフィルタ収容室とを備え、前記フィルタ収容室は、当該フィルタ収容室内の空間と前記作動油タンク内の空間とを連通させるリターンポートと、当該フィルタ収容室内から作動油を外部へ排出するためのドレンポートとを有し、油圧機器から戻ってくる作動油を前記フィルタ収容室内の前記フィルタを通して濾過した後、前記リターンポートを通じて前記作動油タンクに導入して貯留する作動油貯留装置であって、
前記作動油タンク内において前記リターンポートに対して離接可能に設けられ、前記リターンポートを閉止するための閉止部材と、
前記閉止部材を前記リターンポートに接近する方向に弾発し、前記閉止部材により前記リターンポートを閉止させる弾性部材とを備え、
前記弾性部材は、前記フィルタ収容室内に作動油が充満しているとともにそのフィルタ収容室内に前記油圧機器から戻ってくる作動油がさらに流入する状態で前記閉止部材が受ける作動油の圧力により前記閉止部材が前記リターンポートから離反するのを許容するような弾発力を有することを特徴とする、作動油貯留装置。
【請求項６】
前記弾性部材は、前記閉止部材に対して前記リターンポートと反対側からその閉止部材を弾発する圧縮コイルバネからなることを特徴とする、請求項１〜５のいずれか１項に記載の作動油貯留装置。
【発明の詳細な説明】
【技術分野】
【０００１】
本発明は、作動油貯留装置に関するものである。
【背景技術】
【０００２】
従来、油圧機器を備えた建設機械等では、油圧機器で用いられた後、戻ってきた作動油をフィルタで濾過するとともに、その濾過後の作動油を再度油圧機器へ供給するために一旦貯留する作動油貯留装置が設けられている。下記の特許文献１には、そのような作動油貯留装置の一例が示されている。
【０００３】
この特許文献１に開示された作動油貯留装置は、作動油を貯留するための作動油タンクと、その作動油タンク内に設けられ、フィルタを収容するフィルタ収容室とを備えている。フィルタ収容室の上部の側壁には、油圧機器から戻ってきた作動油を受け入れるための受入れポートが設けられており、フィルタ収容室の底壁には、フィルタ収容室内の空間と作動油タンク内の空間とを連通させるリターンポートが設けられている。フィルタ収容室の下部の側壁には、フィルタ収容室内から外部へ作動油を排出する際に用いられるドレンポートが設けられている。また、前記フィルタは筒状に構成されており、フィルタ収容室内においてリターンポートの周りを囲むように当該フィルタ収容室内の底面上に立設されている。前記油圧機器から戻ってきた作動油は、受入れポートを通ってフィルタ収容室内に流入するとともに、フィルタを外側から内側へ透過して濾過された後、リターンポートを通って作動油タンク内に流入するようになっている。
【０００４】
前記リターンポートには、このリターンポートを開閉するための開閉手段としてシャッタが設けられている。このシャッタは、リターンポートの下端部にヒンジを介して水平軸回りに揺動可能に取り付けられている。このシャッタが下方に降下した状態ではリターンポートが開放される一方、シャッタが持ち上げられてリターンポートの下端面に密着することによりリターンポートが閉止される。通常時には、フィルタ収容室内の作動油の圧力によってシャッタが下方へ押されることによりリターンポートが開放されている。
【０００５】
この作動油貯留装置では、フィルタ収容室内の洗浄時やフィルタのメンテナンス時に、前記ドレンポートを通じてフィルタ収容室内の作動油を外部へ排出して廃棄した後、洗浄作業やメンテナンス作業が行われる。このフィルタ収容室からの作動油の廃棄の際、前記シャッタによりリターンポートが自動的に閉止されて作動油タンクからフィルタ収容室への作動油の逆流が防止されることにより、廃棄される作動油量の低減が図られている。
【０００６】
すなわち、ドレンポートを通ってフィルタ収容室内の作動油が外部へ排出されるのに伴って作動油タンク内の作動油がリターンポートを通じてフィルタ収容室内へ逆流しようとするが、その作動油の逆流によってシャッタが持ち上げられ、リターンポートが閉止される。これにより、作動油タンクからフィルタ収容室への作動油の逆流が遮断され、その逆流による大量の作動油がドレンポートを通って廃棄されるのが防止される。
【０００７】
また、特許文献１には、前記シャッタの代わりに浮力を有するゴム球をリターンポートの開閉手段として用いた別の作動油貯留装置が示されている。この作動油貯留装置では、ゴム球が所定長さのチェーンを介してリターンポートに取り付けられている。通常時には、フィルタ収容室内の作動油の圧力によってゴム球が押し下げられることにより、リターンポートが開放されて作動油がフィルタ収容室内から作動油タンク内へ流れるようになっている。一方、フィルタ収容室内の洗浄時やフィルタのメンテナンス時にフィルタ収容室内から作動油を排出する際には、ゴム球の浮力及び作動油タンクからフィルタ収容室への作動油の逆流によってゴム球がリターンポートの開口に下方から嵌り込む。これによって、リターンポートが閉止され、作動油タンクからフィルタ収容室への作動油の逆流が防止される。
【特許文献１】特許第２９８１４３９号公報
【発明の開示】
【発明が解決しようとする課題】
【０００８】
しかしながら、上記特許文献１に開示された作動油貯留装置では、作動油タンクからフィルタ収容室への作動油の逆流の防止が不完全になる虞がある。
【０００９】
具体的には、前記開閉手段としてシャッタが用いられた作動油貯留装置では、ドレンポートからフィルタ収容室内の作動油を排出する際、フィルタ収容室内の油面の位置が作動油タンク内の油面の位置よりも低いが、それら両油面の位置の高さの差が小さい場合、すなわち作動油タンク内の作動油の圧力に対するフィルタ収容室内の作動油の圧力の差が小さい場合には、作動油タンクからフィルタ収容室へ逆流する作動油の流れが弱くなり、リターンポートの下端面にシャッタを密着させる程、シャッタを持ち上げることができない。このため、リターンポートが完全に閉止されず、その結果、前記作動油の逆流の防止が不完全になる。
【００１０】
また、前記開閉手段としてゴム球が用いられた作動油貯留装置では、ゴム球をチェーンを介してリターンポートに繋いでいるため、そのチェーンがゴム球とリターンポートとの間に挟まれた場合には、そのチェーンが邪魔になってリターンポートが完全には閉止されず、前記作動油の逆流の防止が不完全になる。
【００１１】
さらに、前記チェーンが長すぎる場合には、作動油がフィルタ収容室から作動油タンクへ流れる通常時にゴム球がリターンポートの下端から離反してそのリターンポートの径方向外側へ移動し、リターンポートを閉止したいときにゴム球がリターンポートの開口に嵌り込む位置に戻ってこない虞がある。この場合も、リターンポートを閉止できず、前記作動油の逆流を防止できなくなる。
【００１２】
本発明は、上記の課題を解決するためになされたものであり、その目的は、フィルタ収容室内の洗浄時やフィルタのメンテナンス時にフィルタ収容室内から作動油を排出する際、作動油タンクからフィルタ収容室内への作動油の逆流を確実に防止可能な作動油貯留装置を提供することである。
【課題を解決するための手段】
【００１３】
上記目的を達成するために、請求項１に記載の発明は、作動油を貯留する作動油タンクと、作動油を濾過するフィルタと、前記作動油タンクに設けられ、前記フィルタを収容するフィルタ収容室とを備え、前記フィルタ収容室は、当該フィルタ収容室内の空間と前記作動油タンク内の空間とを連通させるリターンポートと、当該フィルタ収容室内から作動油を外部へ排出するためのドレンポートとを有し、油圧機器から戻ってくる作動油を前記フィルタ収容室内の前記フィルタを通して濾過した後、前記リターンポートを通じて前記作動油タンクに導入して貯留する作動油貯留装置であって、前記作動油タンク内において前記リターンポートに対して離接可能に設けられ、前記リターンポートを閉止するための閉止部材と、前記閉止部材を前記リターンポートに接近する方向に弾発し、前記閉止部材により前記リターンポートを閉止させる弾性部材とを備え、前記フィルタは、前記フィルタ収容室内に装着されるのに伴って前記弾性部材の弾発力に抗しながら前記閉止部材を前記リターンポートから離反する方向に押動することにより前記リターンポートを開放する押動部を有する。
【００１４】
請求項１に記載の発明によると、フィルタをフィルタ収容室内に装着したときには押動部が閉止部材を押動することによりリターンポートが開放される一方、フィルタをフィルタ収容室から取り外したときには弾性部材によって弾発された閉止部材によりリターンポートを閉止することができるので、通常時にはフィルタ収容室内からリターンポートを通じて作動油タンクへ作動油を流すことができる一方、フィルタ収容室内の洗浄時やフィルタのメンテナンス時にフィルタをフィルタ収容室から取り外せば、リターンポートを閉止することができる。そして、リターンポートが閉止された後、ドレンポートを通じてフィルタ収容室内から作動油を排出すれば、作動油タンクからフィルタ収容室内への作動油の逆流を防止することができる。また、この構成では、弾性部材の弾発力によってリターンポートが閉止部材で閉止されるので、フィルタ収容室内からドレンポートを通じて作動油を排出するときには作動油タンク内の作動油の圧力に対するフィルタ収容室内の作動油の圧力の差が小さい場合であっても、リターンポートを確実に閉止して作動油タンクからフィルタ収容室内への作動油の逆流を確実に防止することができる。また、この構成では、弾性部材によって閉止部材がリターンポート側に弾発されるので、閉止部材がリターンポートから離反する動きを規制することができる。このため、従来の作動油貯留装置と異なり、開閉手段がリターンポートから離れるのを規制するためにチェーンで開閉手段をリターンポートに繋がなくてもよい。すなわち、請求項１に記載の発明では、チェーンが開閉手段とリターンポートとの間に挟まったり、チェーンが長すぎて開閉手段がリターンポートを閉止したいときに戻ってこないといった従来の作動油貯留装置のような不都合は生じず、リターンポートを閉止部材で確実に閉止することができる。従って、請求項１に記載の発明では、フィルタ収容室内の洗浄時やフィルタのメンテナンス時にフィルタ収容室内から作動油を排出する際、作動油タンクからフィルタ収容室内への作動油の逆流を確実に防止することができる。
【００１５】
請求項２に記載の発明は、請求項１に記載の作動油貯留装置において、前記弾性部材が、前記フィルタ収容室内に作動油が充満しているとともにそのフィルタ収容室内に前記油圧機器から戻ってくる作動油がさらに流入する状態で前記閉止部材が受ける作動油の圧力により前記閉止部材が前記リターンポートから離反するのを許容するような弾発力を有するものである。
【００１６】
このように構成すれば、押動部の変形または破損等により閉止部材を押動できなくなった場合でも、フィルタ収容室内から作動油タンクへ向かって流れる作動油の圧力によって閉止部材をリターンポートから離反させてリターンポートを開放することができる。このため、閉止部材を押動できなくなった場合でも、通常時にフィルタ収容室から作動油タンクへ作動油を流すことができる。
【００１７】
請求項３に記載の発明は、請求項１または２に記載の作動油貯留装置において、前記リターンポートが、前記フィルタ収容室の底壁に設けられ、前記押動部が、前記フィルタの底部に設けられ、前記フィルタが、前記フィルタ収容室内の底面上に載置されることによってそのフィルタ収容室内に装着され、前記閉止部材が、前記リターンポートを下方から閉止する閉止部と、その閉止部が前記リターンポートを閉止している状態でその閉止部から前記リターンポート内を通って前記フィルタ収容室内の底面上に突出し、前記フィルタが前記フィルタ収容室内の底面上に載置されるのに伴って前記押動部によって押圧される被押圧部とを有するものである。
【００１８】
この構成では、閉止部がリターンポートを閉止している状態で被押圧部がフィルタ収容室内の底面上に突出しているので、フィルタ収容室内にフィルタを装着する際、フィルタ収容室内の底面上にフィルタを載置するだけでフィルタの底部に設けられた押動部によって容易に前記被押圧部を押圧することができ、閉止部材をリターンポートから離反する方向へ容易に押動することができる。また、この構成によれば、フィルタにフィルタ収容室内からリターンポート内を通って作動油タンク側へ延びるような大きな押動部を設けなくても、閉止部材を押動することができる。このため、フィルタに設ける押動部が大型化するのを防ぎながら、閉止部材をリターンポートから離反する方向へ容易に押動することができる。
【００１９】
請求項４に記載の発明は、請求項３に記載の作動油貯留装置において、前記被押圧部が、前記閉止部の軸心に対応する位置に設けられているものである。
【００２０】
このように構成すれば、押動部により閉止部材の軸心に対応する箇所を押圧することができるので、閉止部が傾かないように安定した状態で閉止部材を押動することができる。このため、閉止部材を安定してリターンポートから離反させることができ、リターンポートを安定して開放することができる。
【００２１】
請求項５に記載の発明は、作動油を貯留する作動油タンクと、作動油を濾過するフィルタと、前記作動油タンクに設けられ、前記フィルタを収容するフィルタ収容室とを備え、前記フィルタ収容室は、当該フィルタ収容室内の空間と前記作動油タンク内の空間とを連通させるリターンポートと、当該フィルタ収容室内から作動油を外部へ排出するためのドレンポートとを有し、油圧機器から戻ってくる作動油を前記フィルタ収容室内の前記フィルタを通して濾過した後、前記リターンポートを通じて前記作動油タンクに導入して貯留する作動油貯留装置であって、前記作動油タンク内において前記リターンポートに対して離接可能に設けられ、前記リターンポートを閉止するための閉止部材と、前記閉止部材を前記リターンポートに接近する方向に弾発し、前記閉止部材により前記リターンポートを閉止させる弾性部材とを備え、前記弾性部材は、前記フィルタ収容室内に作動油が充満しているとともにそのフィルタ収容室内に前記油圧機器から戻ってくる作動油がさらに流入する状態で前記閉止部材が受ける作動油の圧力により前記閉止部材が前記リターンポートから離反するのを許容するような弾発力を有する。
【００２２】
請求項５に記載の発明によると、通常時には、フィルタ収容室内から作動油タンクへ向かって流れる作動油の圧力によって閉止部材をリターンポートから離反させてリターンポートを開放することができる一方、ドレンポートを通じてフィルタ収容室内から作動油を排出するときには、弾性部材によって弾発された閉止部材によりリターンポートを閉止することができる。このため、通常時にはフィルタ収容室内からリターンポートを通じて作動油タンクへ作動油を流すことができる一方、フィルタ収容室内の洗浄時やフィルタのメンテナンス時にフィルタ収容室内から作動油を排出するときにはリターンポートを閉止して作動油タンクからフィルタ収容室内への作動油の逆流を防止することができる。また、この構成では、弾性部材の弾発力によってリターンポートが閉止部材で閉止されるので、フィルタ収容室内からドレンポートを通じて作動油を排出するときには作動油タンク内の作動油の圧力に対するフィルタ収容室内の作動油の圧力の差が小さい場合であっても、リターンポートを確実に閉止して作動油タンクからフィルタ収容室内への作動油の逆流を確実に防止することができる。また、この構成では、弾性部材によって閉止部材がリターンポート側に弾発されるので、閉止部材がリターンポートから離反する動きを規制することができる。このため、従来の作動油貯留装置と異なり、閉止部材がリターンポートから離れるのを規制するためにチェーンで閉止部材をリターンポートに繋がなくてもよい。すなわち、請求項５に記載の発明では、従来の作動油貯留装置のようなチェーンが開閉手段とリターンポートとの間に挟まったり、チェーンが長すぎて開閉手段がリターンポートを閉止したいときに戻ってこないといった不都合は生じず、リターンポートを閉止部材で確実に閉止することができる。従って、請求項５に記載の発明では、フィルタ収容室内の洗浄時やフィルタのメンテナンス時にフィルタ収容室内から作動油を排出する際、作動油タンクからフィルタ収容室内への作動油の逆流を確実に防止することができる。
【００２３】
請求項６に記載の発明は、請求項１〜５のいずれかに記載の作動油貯留装置において、前記弾性部材が、前記閉止部材に対して前記リターンポートと反対側からその閉止部材を弾発する圧縮コイルバネからなるものである。
【００２４】
このように構成すれば、閉止部材に対してリターンポートと反対側に配置した圧縮コイルバネによって閉止部材を弾発することができるので、閉止部材に対してリターンポート側に配置された弾性部材により閉止部材を引っ張ってリターンポートを閉止させるような構成と異なり、フィルタ収容室内からリターンポートを通じて作動油タンクへ流れる作動油の流れが弾性部材によって妨げられるのを防ぐことができる。
【発明の効果】
【００２５】
以上説明したように、本発明の作動油貯留装置によれば、フィルタ収容室内の洗浄時やフィルタのメンテナンス時にフィルタ収容室内から作動油を排出する際、作動油タンクからフィルタ収容室内への作動油の逆流を確実に防止することができる。
【発明を実施するための最良の形態】
【００２６】
以下、本発明の実施形態を図面を参照して説明する。
【００２７】
図１は、本発明の一実施形態による通常時の作動油貯留装置の縦断面図である。図２は、図１に示した作動油貯留装置のリターンポート１０ｆ近傍の構造を部分的に拡大して示した図である。図３は、フィルタ収容室１０内の洗浄時または入口側フィルタ１３のメンテナンス時における作動油貯留装置の図１に対応する縦断面図である。図４は、図３に示した作動油貯留装置のリターンポート１０ｆ近傍の構造を部分的に拡大して示した図である。図５は、図４中の入口側フィルタ１３を矢印Ａ方向から見た図である。まず、図１〜図５を参照して、本発明の一実施形態による作動油貯留装置の構成について説明する。
【００２８】
本実施形態による作動油貯留装置は、図略の油圧機器で使用されて戻ってくる作動油を後述するようにフィルタ収容室１０内の入口側フィルタ１３を通して濾過した後、リターンポート１０ｆを通じて作動油タンク２に導入して貯留するものである。この作動油貯留装置は、図１に示すように、作動油タンク２と、タンク蓋４と、エアブリーザ６と、出口側フィルタ８と、フィルタ収容室１０と、フィルタ蓋１２と、入口側フィルタ１３と、フィルタ用スプリング１４と、ケーシング１５と、閉止部材１６と、弾性部材１８とを備えている。
【００２９】
前記作動油タンク２は、図略の油圧機器へ供給する作動油を内部に貯留するものである。この作動油タンク２の天壁にはタンク開口部２ａが設けられており、このタンク開口部２ａの外側を覆うように前記タンク蓋４が作動油タンク２の天壁上に着脱可能に取り付けられている。具体的には、作動油タンク２の天壁の上面には、前記タンク開口部２ａの周りを囲むようにタンク蓋受部２ｂが設けられており、このタンク蓋受部２ｂに対してタンク蓋４が止めボルト２ｃによって締結されている。
【００３０】
また、作動油タンク２の天壁の中央部には、貫通孔２ｄが形成され、この貫通孔２ｄに前記エアブリーザ６が取り付けられている。このエアブリーザ６を通じて作動油タンク２内に空気が出入可能となっている。エアブリーザ６は、図略のエアフィルタを有しており、作動油タンク２内に空気が流入する際、塵埃等が一緒に侵入するのを防止している。
【００３１】
作動油タンク２内の底部には、仕切壁２ｆで囲まれた導出室２ｇが設けられている。仕切壁２ｆのうち導出室２ｇの天井部を構成する部分には、導出室２ｇ内に作動油を流入させる流入ポート２ｈが設けられている。作動油タンク２の側壁のうち導出室２ｇに対応する箇所には導出室２ｇ内から外部へ作動油を導出するための出口ポート２ｉが設けられている。
【００３２】
前記出口側フィルタ８は、作動油タンク２内の作動油を前記出口ポート２ｉから導出させる前に濾過するものである。この出口側フィルタ８は、天井部が遮蔽された円筒状に形成されており、前記流入ポート２ｈの周りを囲むように前記仕切壁２ｆ上に載置されている。作動油タンク２内の作動油は、出口側フィルタ８を外側から内側へ透過して濾過された後、流入ポート２ｈを通って導出室２ｇ内に流入し、出口ポート２ｉを通じて導出されて前記油圧機器へ供給される。
【００３３】
前記フィルタ収容室１０は、前記作動油タンク２内に設けられており、前記入口側フィルタ１３を収容するとともに、前記油圧機器から戻ってくる作動油を最初に受け入れるものである。このフィルタ収容室１０は、作動油タンク２内の上部でかつ幅方向において前記タンク蓋４や前記出口側フィルタ８が設けられた領域と反対側の領域に配置されている。通常時には、このフィルタ収容室１０内に作動油が充満された状態で油圧機器から戻ってくる作動油がさらに流入するようになっている。フィルタ収容室１０の天壁にはフィルタ収容室開口部１０ａが設けられており、このフィルタ収容室開口部１０ａの外側を覆うように前記フィルタ蓋１２がフィルタ収容室１０の天壁上に着脱可能に取り付けられている。
【００３４】
具体的には、フィルタ収容室１０の天壁の上面には、フィルタ収容室開口部１０ａの周りを囲むようにフィルタ蓋受部１０ｂが設けられており、このフィルタ蓋受部１０ｂに対してフィルタ蓋１２が止めボルト１０ｃによって締結されている。なお、フィルタ蓋１２がフィルタ蓋受部１０ｂに締結されることによって、フィルタ収容室１０が密閉されるように構成されている。フィルタ収容室１０内の洗浄時や入口側フィルタ１３のメンテナンス時には、止めボルト１０ｃを緩めることによってフィルタ蓋１２をフィルタ蓋受部１０ｂから取り外し、フィルタ収容室開口部１０ａを通じて入口側フィルタ１３をフィルタ収容室１０内から取り外せるようになっている。
【００３５】
また、フィルタ収容室１０は、受入れポート１０ｅと、リターンポート１０ｆと、ドレンポート１０ｇとを有している。
【００３６】
前記受入れポート１０ｅは、前記油圧機器から戻ってきた作動油をフィルタ収容室１０内に受け入れるためのポートである。この受入れポート１０ｅは、フィルタ収容室１０の側壁に設けられており、その側壁の上下方向の略中央の位置に配置されている。受入れポート１０ｅには、図略の開閉機構が付設されている。この開閉機構により、通常時には受入れポート１０ｅを開放してフィルタ収容室１０内に作動油を受け入れる一方、フィルタ収容室１０内の洗浄時や前記入口側フィルタ１３のメンテナンス時には受入れポート１０ｅを閉じてフィルタ収容室１０内への作動油の流入を止めることが可能となっている。
【００３７】
前記リターンポート１０ｆは、フィルタ収容室１０内の空間と作動油タンク２内の空間とを連通させるポートであり、このリターンポート１０ｆを通じてフィルタ収容室１０内から作動油タンク２内へ作動油が流れる。リターンポート１０ｆは、フィルタ収容室１０の底壁に設けられており、その底壁から下方へ作動油タンク２内に突出する円筒状に形成されている。
【００３８】
前記ドレンポート１０ｇは、フィルタ収容室１０内から作動油を外部へ排出する際に用いられるポートである。このドレンポート１０ｇは、フィルタ収容室１０の側壁の下端部に設けられている。ドレンポート１０ｇには、その開閉を行うためのドレンコック１０ｈが取り付けられている。このドレンコック１０ｈは、通常時にはドレンポート１０ｇを通って作動油が排出されないように閉じられている一方、フィルタ収容室１０内の洗浄時や前記入口側フィルタ１３のメンテナンス時にはドレンポート１０ｇを通じてフィルタ収容室１０内から作動油を排出するために開けられる。
【００３９】
前記入口側フィルタ１３は、前記油圧機器から戻ってきてフィルタ収容室１０内に導入された作動油を濾過するものである。この入口側フィルタ１３が本発明のフィルタの概念に含まれるものである。この入口側フィルタ１３は、フィルタ収容室１０内に着脱可能となっている。
【００４０】
具体的には、入口側フィルタ１３は、前記フィルタ収容室開口部１０ａを通じてフィルタ収容室１０内に上方から挿入されるとともにフィルタ収容室１０内の底面上に載置されることによってフィルタ収容室１０内に装着される一方、図３に示すように前記フィルタ収容室開口部１０ａを通じてフィルタ収容室１０内から上方へ抜き出されることによってフィルタ収容室１０内から取り外される。
【００４１】
この入口側フィルタ１３の上端部は、圧縮コイルバネからなる前記フィルタ用スプリング１４を介して前記フィルタ蓋１２の下面に接続されている。すなわち、入口側フィルタ１３の上端部とフィルタ蓋１２の下面との間にフィルタ用スプリング１４が挟み込まれている。入口側フィルタ１３がフィルタ収容室１０内に装着された状態で前記フィルタ蓋１２がフィルタ蓋受部１０ｂに締結されることにより、フィルタ用スプリング１４は圧縮されるとともに、入口側フィルタ１３を下方へ弾発する。これにより、入口側フィルタ１３の下面がフィルタ収容室１０内の底面に密着されるとともに、当該入口側フィルタ１３がフィルタ収容室１０内で固定される。
【００４２】
また、入口側フィルタ１３は、フィルタ部１３ａと、押動部１３ｂ（図２参照）とを有している。
【００４３】
前記フィルタ部１３ａは、フィルタ収容室１０内に導入された作動油を濾過するものである。このフィルタ部１３ａは、上下に延びるとともに天井部が遮蔽された略円筒状に形成されており、その径方向の外側から内側へ作動油が透過して濾過されるようになっている。このフィルタ部１３ａは、フィルタ収容室１０内においてリターンポート１０ｆの周りを囲むようにフィルタ収容室１０内の底面上に立設される。
【００４４】
前記押動部１３ｂは、入口側フィルタ１３がフィルタ収容室１０内に装着されるのに伴って前記弾性部材１８の弾発力に抗しながら前記閉止部材１６をリターンポート１０ｆから離反する下方へ押動するものである。この押動部１３ｂは、前記フィルタ部１３ａの底部に設けられており、その底部において図５に示すようにフィルタ部１３ａの内面から径方向内側に延びている。押動部１３ｂの先端には、フィルタ部１３ａの軸心に対応する位置で下方へ突出する突出部１３ｃが設けられている。この突出部１３ｃによって前記閉止部材１６の後述する被押圧部１６ｂの上端部が下方へ押圧されることにより、閉止部材１６が下方へ押動される。
【００４５】
前記ケーシング１５は、図２に示すように前記閉止部材１６と前記弾性部材１８を内部に保持するものである。このケーシング１５は、有底の円筒状に形成されており、その上部の開口部において前記リターンポート１０ｆの下端部に外嵌している。ケーシング１５は、リターンポート１０ｆの下端部から下方に延びており、その内面によって閉止部材１６の後述する閉止部１６ａを上下方向、すなわちリターンポート１０ｆに離接する方向に移動可能に保持している。前記弾性部材１８は、閉止部材１６の閉止部１６ａの下面とケーシング１５内の底面との間に挟み込まれた状態で保持されている。また、ケーシング１５の側壁には、複数の流通口１５ａが設けられており、前記フィルタ収容室１０内からリターンポート１０ｆを通って流れ出す作動油がこの流通口１５ａを通って作動油タンク２内に流入するようになっている。
【００４６】
前記閉止部材１６は、前記リターンポート１０ｆを閉止するためのものである。この閉止部材１６は、前記ケーシング１５内で保持されることによりリターンポート１０ｆに対して離接可能に設けられている。この閉止部材１６は、閉止部１６ａと、被押圧部１６ｂとを有している。
【００４７】
前記閉止部１６ａは、上向きに突出する略円錐台状に形成されており、図４に示すようにその上部がリターンポート１０ｆの下端部の開口に下方から嵌り込むことによってリターンポート１０ｆを閉止する。一方、図２に示すように、この閉止部１６ａがリターンポート１０ｆの下端部から下方に離反することにより、リターンポート１０ｆが開放される。この閉止部１６ａは、その周縁部が前記ケーシング１５の内面に案内されることによりリターンポート１０ｆに対して離接する上下方向に移動可能となっている。
【００４８】
前記被押圧部１６ｂは、前記入口側フィルタ１３の押動部１３ｂによって押圧される部分である。この被押圧部１６ｂは、前記閉止部１６ａの上端から上方へ延びる直棒状に形成されており、閉止部１６ａの軸心の位置に設けられている。この被押圧部１６ｂは、図４に示すように、前記閉止部１６ａがリターンポート１０ｆを閉止している状態でリターンポート１０ｆ内を通ってフィルタ収容室１０内の底面上に突出する。被押圧部１６ｂの上端部には、他の部分に比べて水平面積の大きい部分が設けられており、この部分の上面が入口側フィルタ１３の押動部１３ｂの突出部１３ｃによって押圧される。
【００４９】
前記弾性部材１８は、前記閉止部材１６をリターンポート１０ｆに接近する方向に弾発し、閉止部材１６によりリターンポート１０ｆを閉止させるものである。この弾性部材１８は、閉止部材１６の閉止部１６ａに対してリターンポート１０ｆと反対側からその閉止部１６ａを弾発する圧縮コイルバネからなる。また、この弾性部材１８は、フィルタ収容室１０内に作動油が充満しているとともにそのフィルタ収容室１０内に油圧機器から戻ってくる作動油がさらに流入する状態で閉止部材１６が受ける作動油の圧力によりその閉止部材１６がリターンポート１０ｆから離反するのを許容するような弾発力を有する。
【００５０】
弾性部材１８は、通常時には、図２に示すように、入口側フィルタ１３の押動部１３ｂにより閉止部材１６が下方へ押圧されることによって圧縮されている。そして、フィルタ収容室１０内の洗浄時や入口側フィルタ１３のメンテナンス時に入口側フィルタ１３がフィルタ収容室１０から取り外される際には、押動部１３ｂによる閉止部材１６の下方への押圧がなくなるので、入口側フィルタ１３が上方へ抜き出されるのに伴って弾性部材１８は伸長しながら閉止部材１６を上方へ移動させてその閉止部１６ａをリターンポート１０ｆの下端部に押圧する。これにより、リターンポート１０ｆが閉止される。
【００５１】
次に、本実施形態による作動油貯留装置の動作について説明する。
【００５２】
本実施形態の作動油貯留装置では、通常時には図１に示すようにフィルタ収容室１０内に入口側フィルタ１３が装着されている。この状態で、図２に示すように、入口側フィルタ１３の押動部１３ｂにより弾性部材１８の弾発力に抗しながら閉止部材１６が下方へ押圧されることによってリターンポート１０ｆが開放されている。これにより、油圧機器から戻ってきた作動油が受入れポート１０ｅを通じてフィルタ収容室１０内に導入されるとともに、入口側フィルタ１３を外側から内側へ通って濾過され、リターンポート１０ｆ内を通ってケーシング１５の流通口１５ａを通り、作動油タンク２内に流れる。なお、この通常時では、フィルタ収容室１０内が作動油で充満した状態となっている。
【００５３】
そして、作動油タンク２内に流入した作動油は、その作動油タンク２内で一旦貯留される。この貯留された作動油は、出口側フィルタ８を透過するとともに流入ポート２ｈを通って導出室２ｇ内に流入し、その後、出口ポート２ｉを通って再び油圧機器に供給される。
【００５４】
この作動油貯留装置において、上記のような通常時における作動油の受入れ、貯留及び供給が継続して行われている間には、入口側フィルタ１３のフィルタ部１３ａが油圧機器から戻ってきた作動油に含まれるダスト等によって目詰まりを生じたり、フィルタ収容室１０内に前記ダスト等が蓄積される。このため、定期的にフィルタ収容室１０内の洗浄や、入口側フィルタ１３の洗浄または交換等のメンテナンスを行う必要がある。
【００５５】
この洗浄等のメンテナンスの際には、まず、前記開閉機構により受入れポート１０ｅを閉じてフィルタ収容室１０内への作動油の受入れを停止する。
【００５６】
次に、フィルタ蓋１２の止めボルト１０ｃを緩めてフィルタ蓋１２を浮かせることによりフィルタ収容室開口部１０ａを通じてフィルタ収容室１０内に空気が入るようにし、フィルタ収容室１０を大気開放する。これにより、作動油タンク２内の油面の高さとフィルタ収容室１０内の油面の高さとが等しくなる。すなわち、作動油タンク２内の作動油の圧力とフィルタ収容室１０内の作動油の圧力とが等しくなる。なお、このとき、入口側フィルタ１３は、その下端面がフィルタ収容室１０内の底面上に密着した状態で保持されているとともに、リターンポート１０ｆは開放された状態で維持されている。
【００５７】
この後、図３に示すように、フィルタ蓋１２をフィルタ蓋受部１０ｂから取り外すとともに、入口側フィルタ１３をフィルタ収容室開口部１０ａを通じてフィルタ収容室１０内から上方へ抜き出す。これにより、図４に示すように、閉止部材１６を押圧していた押動部１３ｂも上方へ移動するため、閉止部材１６が弾性部材１８の弾発力により上方へ移動し、その閉止部１６ａがリターンポート１０ｆの下端部の開口に下方から嵌り込んで押圧される。これにより、リターンポート１０ｆが閉止され、未濾過の作動油やダストがフィルタ収容室１０内からリターンポート１０ｆを通じて作動油タンク２内の作動油に混入するのが防止される。この状態では、閉止部材１６の被押圧部１６ｂがフィルタ収容室１０内の底面上に突出している。フィルタ収容室１０内から取り外した入口側フィルタ１３については、洗浄や交換等のメンテナンスを行う。
【００５８】
次に、図３に示すように、ドレンコック１０ｈを開き、フィルタ収容室１０内の作動油をドレンポート１０ｇを通じて外部へ排出し、廃棄する。この際、リターンポート１０ｆは、上記のように閉止部材１６によって閉止されているので、作動油タンク２からフィルタ収容室１０内への作動油の逆流が防止される。そして、フィルタ収容室１０内の作動油が全て排出された後、フィルタ収容室１０内の洗浄を行う。その後、ドレンコック１０ｈを閉め、ドレンポート１０ｇを閉止する。
【００５９】
この後、フィルタ収容室開口部１０ａを通じてフィルタ収容室１０内にきれいな入口側フィルタ１３を上方から差し込むことによりその入口側フィルタ１３をフィルタ収容室１０内に装着するとともに、フィルタ蓋１２を止めボルト１０ｃでフィルタ蓋受部１０ｂに締結することにより入口側フィルタ１３をフィルタ収容室１０内の底面上に載置した状態で固定する。この入口側フィルタ１３をフィルタ収容室１０内に差し込む際、降下する押動部１３ｂの突出部１３ｃによりフィルタ収容室１０内の底面上に突出した被押圧部１６ｂの上端部が押圧される。これにより、閉止部材１６は、弾性部材１８の弾発力に抗しながらリターンポート１０ｆから離反する下方へ押動され、リターンポート１０ｆが開放される。この後、前記開閉機構により受入れポート１０ｅを開放し、上記通常時の動作を再開する。
【００６０】
以上のようにして、本実施形態による作動油貯留装置の動作が行われる。
【００６１】
以上説明したように、本実施形態では、入口側フィルタ１３をフィルタ収容室１０内に装着したときには押動部１３ｂが閉止部材１６を押動することによりリターンポート１０ｆが開放される一方、入口側フィルタ１３をフィルタ収容室１０内から取り外したときには弾性部材１８によって弾発された閉止部材１６によりリターンポート１０ｆを閉止することができる。このため、通常時にはフィルタ収容室１０内からリターンポート１０ｆを通じて作動油タンク２へ作動油を流すことができる一方、フィルタ収容室１０内の洗浄時や入口側フィルタ１３のメンテナンス時に入口側フィルタ１３をフィルタ収容室１０内から取り外せば、リターンポート１０ｆを閉止することができる。そして、リターンポート１０ｆが閉止された後、ドレンポート１０ｇを通じてフィルタ収容室１０内から作動油を排出すれば、作動油タンク２からフィルタ収容室１０内への作動油の逆流を防止することができる。
【００６２】
また、本実施形態では、弾性部材１８の弾発力によってリターンポート１０ｆが閉止部材１６で閉止されるので、フィルタ収容室１０内からドレンポート１０ｇを通じて作動油を排出するときには作動油タンク２内の作動油の圧力に対するフィルタ収容室１０内の作動油の圧力の差が小さい場合であっても、リターンポート１０ｆを確実に閉止して作動油タンク２からフィルタ収容室１０内への作動油の逆流を確実に防止することができる。
【００６３】
また、本実施形態では、弾性部材１８によって閉止部材１６がリターンポート１０ｆ側に弾発されるので、閉止部材１６がリターンポート１０ｆから離反する動きを規制することができる。このため、従来の作動油貯留装置と異なり、閉止部材１６がリターンポート１０ｆから離れるのを規制するためにチェーンで閉止部材１６をリターンポート１０ｆに繋がなくてもよい。すなわち、本実施形態では、従来の作動油貯留装置のようなチェーンが開閉手段とリターンポートとの間に挟まったり、チェーンが長すぎて開閉手段がリターンポートを閉止したいときに戻ってこないといった不都合は生じず、リターンポート１０ｆを閉止部材１６で確実に閉止することができる。従って、本実施形態では、フィルタ収容室１０内の洗浄時や入口側フィルタ１３のメンテナンス時にフィルタ収容室１０内から作動油を排出する際、作動油タンク２からフィルタ収容室１０内への作動油の逆流を確実に防止することができる。
【００６４】
また、本実施形態では、弾性部材１８が、フィルタ収容室１０内に作動油が充満しているとともにそのフィルタ収容室１０内に油圧機器から戻ってくる作動油がさらに流入する状態で閉止部材１６が受ける作動油の圧力によりその閉止部材１６がリターンポート１０ｆから離反するのを許容するような弾発力を有する。このため、押動部１３ｂの変形または破損等により閉止部材１６を押動できなくなった場合でも、フィルタ収容室１０内から作動油タンク２へ向かって流れる作動油の圧力によって閉止部材１６をリターンポート１０ｆから離反させてリターンポート１０ｆを開放することができる。すなわち、本実施形態では、閉止部材１６を押動できなくなった場合でも、通常時にフィルタ収容室１０内から作動油タンク２内へ作動油を流すことができる。
【００６５】
また、本実施形態では、閉止部１６ａがリターンポート１０ｆを閉止している状態で被押圧部１６ｂがフィルタ収容室１０内の底面上に突出しているので、フィルタ収容室１０内に入口側フィルタ１３を装着する際、フィルタ収容室１０内の底面上に入口側フィルタ１３を載置するだけで入口側フィルタ１３の底部に設けられた押動部１３ｂによって容易に被押圧部１６ｂを押圧することができ、閉止部材１６をリターンポート１０ｆから離反する方向へ容易に押動することができる。
【００６６】
また、本実施形態によれば、入口側フィルタ１３にフィルタ収容室１０内からリターンポート１０ｆ内を通って作動油タンク２側へ延びるような大きな押動部１３ｂを設けなくても、閉止部材１６を押動することができる。このため、入口側フィルタ１３に設ける押動部１３ｂが大型化するのを防ぎながら、閉止部材１６をリターンポート１０ｆから離反する方向へ容易に押動することができる。
【００６７】
また、本実施形態では、被押圧部１６ｂが閉止部１６ａの軸心に対応する位置に設けられているので、押動部１３ｂにより閉止部１６ａの軸心に対応する箇所を押圧することができる。このため、閉止部１６ａが傾かないように安定した状態で閉止部材１６を押動することができる。その結果、閉止部材１６を安定してリターンポート１０ｆから離反させることができ、リターンポート１０ｆを安定して開放することができる。
【００６８】
また、本実施形態では、弾性部材１８が閉止部材１６に対してリターンポート１０ｆと反対側からその閉止部材１６を弾発する圧縮コイルバネからなっているので、閉止部材に対してリターンポート側に配置された弾性部材により閉止部材を引っ張ってリターンポートを閉止させるような構成と異なり、フィルタ収容室１０内からリターンポート１０ｆを通じて作動油タンク２へ流れる作動油の流れが弾性部材１８によって妨げられるのを防ぐことができる。
【００６９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味及び範囲内でのすべての変更が含まれる。
【００７０】
例えば、上記実施形態では、入口側フィルタ１３の押動部１３ｂにより閉止部材１６の被押圧部１６ｂを押圧することにより閉止部材１６を押動してリターンポート１０ｆを開放する構成を示したが、本発明はこの構成に限られない。
【００７１】
すなわち、図６に示す上記実施形態の変形例のように、上記実施形態の構成において入口側フィルタ１３から押動部１３ｂを省略するとともに、閉止部材１６から被押圧部１６ｂを省略し、通常時にフィルタ収容室１０内からリターンポート１０ｆを通って作動油タンク２内に流れる作動油の圧力により閉止部材１６が押動されてリターンポート１０ｆが開放されるような構成であってもよい。この構成では、上記実施形態と同様、弾性部材１８がフィルタ収容室１０内に作動油が充満し、そのフィルタ収容室１０内に油圧機器から戻ってくる作動油がさらに流入する状態で閉止部材１６が受ける作動油の圧力により閉止部材１６がリターンポート１０ｆから離反するのを許容するような弾発力を有している。また、この構成において、フィルタ収容室１０内の洗浄時や入口側フィルタ１３のメンテナンス時には、開閉機構により受入れポート１０ｅを通じてフィルタ収容室１０内に作動油が流入するのを停止した時点で弾性部材１８の弾発力により閉止部材１６がリターンポート１０ｆの下端部に押圧され、リターンポート１０ｆが閉止される。
【００７２】
この変形例では、通常時には、フィルタ収容室１０内から作動油タンク２へ向かって流れる作動油の圧力によって閉止部材１６をリターンポート１０ｆから離反させてリターンポート１０ｆを開放することができる一方、ドレンポート１０ｇを通じてフィルタ収容室１０内から作動油を排出するときには、弾性部材１８によって弾発された閉止部材１６によりリターンポート１０ｆを閉止することができる。このため、通常時にはフィルタ収容室１０内からリターンポート１０ｆを通じて作動油タンク２へ作動油を流すことができる一方、フィルタ収容室１０内の洗浄時や入口側フィルタ１３のメンテナンス時にフィルタ収容室１０内から作動油を排出するときにはリターンポート１０ｆを閉止して作動油タンク２からフィルタ収容室１０内への作動油の逆流を防止することができる。
【００７３】
また、この変形例では、上記実施形態と同様、フィルタ収容室１０内からドレンポート１０ｇを通じて作動油を排出するときには作動油タンク２内の作動油の圧力に対するフィルタ収容室１０内の作動油の圧力の差が小さい場合であっても、リターンポート１０ｆを確実に閉止して作動油タンク２からフィルタ収容室１０内への作動油の逆流を確実に防止することができる。さらに、この変形例では、上記実施形態と同様、従来の作動油貯留装置のようなチェーンが開閉手段とリターンポートとの間に挟まったり、チェーンが長すぎて開閉手段がリターンポートを閉止したいときに戻ってこないといった不都合は生じず、リターンポート１０ｆを閉止部材１６で確実に閉止することができる。従って、この変形例では、フィルタ収容室１０内の洗浄時や入口側フィルタ１３のメンテナンス時にフィルタ収容室１０内から作動油を排出する際、作動油タンク２からフィルタ収容室１０内への作動油の逆流を確実に防止することができる。
【００７４】
この変形例による上記以外の効果は、上記実施形態による効果と同様である。
【００７５】
また、閉止部材１６の形状は上記実施形態で示した形状に限らない。例えば、リターンポート１０ｆを閉止可能であれば、閉止部材１６の閉止部１６ａが球状やその他の形状であってもよい。
【図面の簡単な説明】
【００７６】
【図１】本発明の一実施形態による通常時の作動油貯留装置の縦断面図である。
【図２】図１に示した作動油貯留装置のリターンポート近傍の構造を部分的に拡大して示した図である。
【図３】フィルタ収容室内の洗浄時またはフィルタのメンテナンス時の作動油貯留装置の図１に対応する縦断面図である。
【図４】図３に示した作動油貯留装置のリターンポート近傍の構造を部分的に拡大して示した図である。
【図５】図４中のフィルタを矢印Ａ方向から見た図である。
【図６】本発明の一実施形態の変形例による通常時の作動油貯留装置の図２に対応する図である。
【符号の説明】
【００７７】
２  作動油タンク
１０  フィルタ収容室
１０ｆ  リターンポート
１０ｇ  ドレンポート
１３  入口側フィルタ（フィルタ）
１３ｂ  押動部
１６  閉止部材
１６ａ  閉止部
１６ｂ  被押圧部
１８  弾性部材
【図１】
2009127781.tif 000003
【図２】
2009127781.tif 000004
【図３】
2009127781.tif 000005
【図４】
2009127781.tif 000006
【図５】
2009127781.tif 000007
【図６】
2009127781.tif 000008